(57)【要約】      （修正有）【課題】使用者が表示部を一定の向きとは異なる向きから見たときにも、表示部の表示の向きを変更し、表示部の表示が確認しやすい温度計を提供する。【解決手段】温度計１は、本体部１００と検温部２００と、平板部３００を備える。電源ボタン１１３を押して温度計１の電源をオンにし、操作部１１２を使用者の右手で操作することにより、表示部１１１の表示方向を変換することができる。【選択図】図７
0003227814.tif 000002
【実用新案登録請求の範囲】
【請求項１】
本体部と、
前記本体部の一端側から所定の方向に延びるように設けられ、対象物の温度を検知する検温部と、
前記本体部の所定の面に設けられ、前記検温部により検知された温度を表示する表示部と、
前記本体部の他端側に前記所定の面と略面一となるように設けられ、前記本体部の厚みより薄く形成された平板部と、
前記本体部の前記所定の面であって前記平板部が設けられた位置の近傍に設けられ、前記表示部の画面表示の向きを変更する操作ボタンと、
前記操作ボタンの操作に基づき、前記表示部の表示を制御する制御部と、
を備えることを特徴とする温度計。
【請求項２】
前記制御部は、前記操作ボタンの操作毎に、前記表示部の画面表示の向きが所定の角度変更されるように前記表示部を制御することを特徴とする請求項１記載の温度計。
【請求項３】
前記操作ボタンが通常の態様により操作されると前記表示部の画面表示の向きが固定され、前記操作ボタンが前記通常の態様と異なる態様により操作されると、前記表示部の画面表示の向きが変更されることを特徴とする請求項１記載の温度計。
【考案の詳細な説明】
【技術分野】
【０００１】
本考案は、温度計に関する。
【背景技術】
【０００２】
特許文献１には、本体部と、本体部に設けられた検温部と、本体部に設けられた表示部とを有し、検温部により測定された温度を表示部に表示する温度計が開示されている。
【先行技術文献】
【特許文献】
【０００３】
【特許文献１】特開２０１７−４０５２７号公報
【考案の概要】
【考案が解決しようとする課題】
【０００４】
しかしながら、上記温度計では、使用者が表示部の画面表示の向きを変えることができないという課題があった。例えば、使用者が表示部を１８０度回転させた向きから見たときには、表示も１８０度回転してしまい、使用者は温度の表示を確認しづらくなってしまう。
【０００５】
本考案は上記課題を解決するためになされたものであって、使用者が表示部の画面表示の向きを変更できる温度計を提供することを目的とする。
【課題を解決するための手段】
【０００６】
本考案に係る温度計は、本体部と、前記本体部の一端側から所定の方向に延びるように設けられ、対象物の温度を検知する検温部と、前記本体部の所定の面に設けられ、前記検温部により検知された温度を表示する表示部と、前記本体部の他端側に前記所定の面と略面一となるように設けられ、前記本体部の厚みより薄く形成された平板部と、前記本体部の前記所定の面であって前記平板部が設けられた位置の近傍に設けられ、前記表示部の画面表示の向きを変更する操作ボタンと、前記操作ボタンの操作に基づき、前記表示部の表示を制御する制御部と、を備えることを特徴とする。
【考案の効果】
【０００７】
本考案によれば、表示部の画面表示の向きを変更できるため、使用者が表示部を一定の向きとは異なる向きから見たときにも、表示部の表示が確認しやすくすることができる。
【図面の簡単な説明】
【０００８】
【図１】第一実施形態にかかる温度計の前面側の図
【図２】第一実施形態にかかる温度計のキャップを付けた状態の図
【図３】第一実施形態にかかる温度計の背面側の図
【図４】第一実施形態にかかる温度計を手前側側面から見た図
【図５】第一実施形態にかかる温度計を奥側側面から見た図
【図６】第一実施形態にかかる温度計の表示部の全セグメントを表示した状態の図
【図７】第一実施形態にかかる温度計の前面側の斜視図
【図８】第一実施形態にかかる温度計の背面側の斜視図
【図９】第一実施形態にかかる温度計のキャップの前面側の図
【図１０】第一実施形態にかかる温度計のキャップの背面側の図
【図１１】第一実施形態にかかる温度計の計測・制御系の図
【図１２】第一実施形態にかかる温度計を右手で把持した状態の図
【図１３】第一実施形態にかかる温度計を右手で把持して奥側側面から見た図
【図１４】第一実施形態にかかる温度計を左手で把持した状態の図
【図１５】第一実施形態にかかる温度計の表示を固定した状態の図
【図１６】第一実施形態にかかる温度計をキャップで支持した状態の図
【図１７】第二実施形態にかかる温度計を右手で把持した状態の図
【考案を実施するための形態】
【０００９】
以下、本考案の第一実施形態に係る温度計１について、図１〜図１６を参照して説明する。図１及び図２に示すように、温度計１は、本体部１００、検温部２００、平板部３００を備える。
【００１０】
本体部１００はABS樹脂等の樹脂によって形成されており、図１、図３、図４及び図５に示すように、横長直方体の左右に半円柱を組み合わせたような形状となっている。本体部１００は、前面１１０と背面１６０を有し、前面１１０周縁と背面１６０周縁が手前側側面１２０、奥側側面１３０、左側側面１４０、右側側面１５０により接続されている。
【００１１】
図１に示すように、前面１１０には、検温部２００によって計測された温度等を表示するための表示部１１１が設けられている。表示部１１１は、セグメント表示形式の液晶ディスプレイである。
【００１２】
図６に示すように、表示部１１１中央には、７つのセグメントで１〜９までの数字を表現する数字セグメント左１１１ａ、数字セグメント中央１１１ｂ、数字セグメント右１１１ｃが設けられている。以下、これらを３つの数字セグメントと総称する。
【００１３】
表示部１１１の右側には、図６の向きで見たときに正しい方向で、右側電池切れ注意表示セグメント１１１ｄ、右側HOLD表示セグメント１１１ｅ、右側温度単位表示セグメント１１１ｆが設けられている。
【００１４】
表示部の左側には、図６の向きで見たときに上下左右反対の方向で、左側電池切れ注意表示セグメント１１１ｇ、左側HOLD表示セグメント１１１ｈ、左側温度単位表示セグメント１１１ｉが設けられている。
【００１５】
図１に示すように、前面１１０には、表示部１１１における温度等の表示方向を変更等するための操作ボタン１１２が設けられている。操作ボタン１１２は、本体部１００の前面１１０であって平板部３００が設けられた位置の近傍に設けられている。
【００１６】
前面１１０には、温度計１の電源をオン／オフ操作をするための電源ボタン１１３が設けられている。
【００１７】
操作ボタン１１２及び電源ボタン１１３は、本体部１００の前面１１０側から背面１６０側に向かって押すことによって操作することができる。
【００１８】
図７に示すように、左側側面１４０は曲面となっており、キャップ係止部１４１が設けられている。キャップ係止部１４１は検温部２００の大径部２１０よりも太く、キャップ４００の内周面とほぼ同じ太さな円筒形状である。
【００１９】
キャップ係止部１４１は円筒形状の底面が左側側面１４０に接続するように設けられている。
【００２０】
図３及び図８に示すように、右側側面１５０は、平板部３００が設けられていない部分が曲面形状の指掛け部１５１となっている。指掛け部１５１の曲面形状は図において点線A-Aを基準として上下対称な形状となっている。
【００２１】
図３に示すように、背面１６０には円形の電池蓋１６１が設けられている。電池蓋１６１には縦に細長い長方形型の電池蓋凹部１６１ａが設けられている。
【００２２】
図１に示すように、検温部２００はステンレス等の金属製であって本体部１００のキャップ係止部１４１に設けられており、大径部２１０、径が徐々に小さくなるテーパー部２２０、小径部２３０、先細部２４０とからなる。先細部２４０の内部には温度センサー（図示せず）が設けられている。
【００２３】
図８に示すように、平板部３００は本体部１００の右側側面１５０に設けられている。平板部３００は本体部１００のその他の部分と比べて前面１１０−背面１６０方向の厚さが薄くなっており、本体部１００の前面１１０を右側側面１５０側に延長したような形状となっている。
【００２４】
図１及び図３に示すように、平板部３００の本体部１００の前面１１０と同じ向きの部分を平板前部３１０と称し、平板部３００の本体部１００の背面１６０と同じ向きの部分を平板背部３２０と称する。平板部３００には平板部３００を貫通するフック孔３３０が設けられている。
【００２５】
キャップ４００は内部が空洞となっており、図９及び図１０に示すように、口部４１０、円筒部４２０、支持孔４３０、先端部４４０からなる。口部４１０の一部は切り欠き状の凹部４１１となっている。キャップ４００の内周は検温部２００の大径部２１０より太く、キャップ係止部１４１とほぼ同じ太さとなっている。支持孔４３０は大径部２１０の径より大きく、キャップ係止部１４１の径より小さい大きさとなっており、キャップ４００を貫通している。
【００２６】
温度計１の内部には、図１１に示す構成の計測・制御系５００が設置されている。図１１において、５１０は制御部であり、操作ボタン１１２、電源ボタン１１３、検温部２００から送られてくる信号に応じて、表示部１１１の表示を制御する。
【００２７】
上記構成の温度計１を使用する際には、まず使用者はキャップ４００を本体部１００のキャップ係止部１４１から外す。そして、使用者が電源ボタン１１３を押して電源をオンにすると、図１２に示すように検温部２００が検知している温度が表示部１１１に表示される。
【００２８】
このとき、右側温度単位表示セグメント１１１ｃの「℃」が点灯するとともに、３つの数字セグメントにより温度を現す数字が点灯する。数字セグメント左１１１ａが百の位を、数字セグメント中央１１１ｂが十の位を、数字セグメント右１１１ｃが一の位を表示する。
【００２９】
図１３に示すように、使用者が右手ＲＨで温度計を持つ時には、人差し指で平板背部３２０を支え、中指で本体部１００の背面１６０を支えながら、親指で本体部１００の前面１１０にある操作ボタン１１２の位置近傍を支えるようにすることができる。このとき、人差し指は右側側面１５０の指かけ部１５１に引っ掛けるようにすることができる。
【００３０】
このように把持すると、右手ＲＨの指の位置を手の構造からして自然な位置としつつ、温度計１の本体部１００の背面１６０側２点と、その２点の間の位置と対応する前面１１０側の位置、すなわち操作ボタン１１２の位置の計３点ではさむように温度計１を支えることができる。したがって、使用者は温度計１を確実に把持しつつ、把持することの手指への負担を少なくすることができる。
【００３１】
使用者が右手ＲＨで温度計１を持ち、先細部２４０を測定対象物に触れさせると、先細部２４０の内部にある温度センサーが測定対象物の温度を検知し、測定対象物の温度が表示部１１１に表示される。
【００３２】
料理中などに本実施形態の温度計１を使用する場合、使用しながら温度計１の持ち手を変えることもありうる。例えば、使用者が左手ＬＨでなんらかの調理動作を行いながら右手ＲＨで温度計を把持していた時に、温度の計測を続けながら右方にある道具を使う次の料理動作に移りたい場合などである。
【００３３】
この場合において、温度計１の持ち手を右手ＲＨから左手ＬＨにすると、表示部１００の表示が使用者から見て上下左右逆となる。
【００３４】
ここで、操作ボタン１１２を３秒間長押しすると、制御部５１０に長押操作信号が入力され、制御部５１０は表示部１１１に画面切換信号を出力する。そして、３つの数字セグメントの表示が数字セグメント中央１１１ｂの真ん中を中心に１８０度回転した位置に点灯するようになる。また、右側温度単位表示セグメント１１１ｆが消灯して代わりに左側温度単位表示セグメント１１１ｉが点灯する。
【００３５】
これにより、表示部１１１の温度に係る表示が１８０度回転して点灯することとなり、図１４に示すように、使用者から見て表示部１１１の表示が正しい方向となる。これにより、使用者は表示部１１１の表示を確認しやすくなる。
【００３６】
このとき、使用者は温度計を左手ＬＨにより、段落００２９に示した持ち方をしながら親指で操作ボタン１１２を押すことができる。すなわち人差し指で平板背部３２０、中指で本体部１００の背面１６０の電池蓋１６１近傍を支えながら、操作ボタン１１２を親指で押すことができる。
【００３７】
その後、図１２に示すように、使用者が再び右手RHで温度計１を持った時には、右手RHの親指で再度操作ボタン１１２を長押しする。すると、制御部５１０に長押操作信号が入力され、制御部５１０から表示部１１１に画面切換信号が出力される。そして、表示部１１１の温度に係る画面表示が再び１８０度回転し、使用者から見て表示部１１１の画面表示が正しい向きとなる。
【００３８】
このように操作ボタン１１２を押すと、操作ボタン１１２を押す力を、押す位置を挟んだ背面１６０側の２点で支えることができる。したがって、操作ボタン１１２を安定して押すことができる。また、操作ボタン１１２を押すために親指の位置を動かすという手間もない。
【００３９】
温度計１により計測対象物を計測するときに、使用者が表示部１１１の表示を視認することが難しい位置に表示部１１１が位置してしまうこともありうる。表示部１１１の表示を見るために、そのまま温度計を手元に持ってきてしまうと、検温部２００が測定対象物から離れてしまい、正確な測定対象物の温度を知ることが難しい。
【００４０】
このようなときには、図１５に示すように、温度計１により測定対象物を計測しながら操作ボタン１１２を単に押すと、制御部５１０に通常操作信号が入力され、制御部５１０から表示部１１１にHOLD表示信号が出力される。そして、表示部１１１の表示が操作ボタン１１２を押した時の状態で固定される。また、表示部の１１１右側ＨＯＬＤ表示セグメント１１１ｂ又は左側HOLD表示セグメントが１１１ｈその時の表示向きに応じて点灯する。
【００４１】
その後、使用者が温度計１の表示部１１１を見やすい位置に温度計１を移動させれば、使用者は確実に測定対象物の計測温度が表示された表示部１１１を確認することができる。もう一度操作ボタン１１２を押せば、表示部１１１の表示の固定は解除され、右側HOLD表示セグメント１１１ｂ又は左側HOLD表示セグメント１１１ｈは消灯する。
【００４２】
指掛け部１５１の曲面形状は図３においてを基準として上下対称な形状となっており、左右のどちらの手で持っても違和感なく握れる形状となっている。
【００４３】
また、図１６に示すように、測定対象物が沸騰している鍋Ｐ中にある場合など、使用者が本体部１００をそのまま持って測定すると火傷の危険がある場合がありうる。そのようなときには、キャップ４００の支持孔４３０に検温部２００を通す。この状態で使用者がキャップ４００の口部４１０付近を持つと、支持孔４３０は検温部２００より大きい径であってキャップ係止部１４１よりは小さい径であるので、キャップ係止部１４１が支持孔４３０に当たり温度計１がキャップ４００に支持される。
【００４４】
このようにキャップ４００を用いて温度計１を把持し、計測対象物の温度を測定すれば、使用者の右手ＲＨが鍋Ｐの外側にある状態で測定することができ、使用者が火傷してしまう危険性が少なくなる。
【００４５】
温度計１の電源をオンにしたときに、内蔵された電池の残量が少ない場合には、表示部１１１の右側電池切れ表示セグメント１１１ｄ又は左側電池切れ表示セグメント１１１ｇが表示される。これにより、使用者に本体部１００内部に内蔵された電池の残量が少ないことを知らせる。
【００４６】
使用が終わったら、電源ボタン１１３を押すと電源がオフになり、表示部１１１の全てのセグメントが消灯する。そして、キャップ４００の凹部４１１と本体部１００のキャップ係止部１４１の突部１４１ａの位置が合うように、キャップが検温部を覆うようにキャップをキャップ係止部に嵌め合わせる。
【００４７】
キャップ４００をキャップ係止部１４１に嵌合させるとき、突部１４１ａが凹部１６１ａの位置が合うようになっていなければ、口部４１０と突起１６１ａが干渉し、キャップ４００は本体部１００に係止されない。
【００４８】
本体部１００に内蔵された電池を交換したい場合には、電池蓋１６１の電池蓋凹部１６１ａにコインなどの平たいものを差し込んで回す。すると電池蓋１６１が本体より外れ、内蔵されたコイン型電池を交換することができる。
【００４９】
小径部２３０及び先細部２４０のように、検温部２００の温度センサーが内蔵されている位置の近傍を細くすることにより、測定対象物の熱が温度センサーに伝わりやすくなり、温度センサーの感度が良くなる。
【００５０】
次に図１７に基づいて、第二実施形態について説明する。表示部１１１は円形のＴＦＴ液晶である。操作ボタン１１２を押す時間に応じて表示１１１部の表示が時計周りに回転し、その時々において、表示部１１１の表示を使用者がもっとも見やすい向きとすることができる。
【００５１】
以上、本発明の実施の形態について説明したが、本発明はこれに限定されることなく、その発明の技術的思想を逸脱しない範囲で、適宜変更可能である。
【００５２】
第一変形例として、第一実施携帯における操作ボタン１１２を長押ししたとき、表示部１１１の画面表示の向きが１８０度以外の所定の角度回転することとしてもよい。例えば、９０度回転することとしてもよい。
【００５３】
第二変形例として、第一実施形態において表示部１１１の画面表示の向きを変えるために操作ボタン１１２を長押しすることに代えて、操作ボタン１１２を他の所定の操作をすることとしてもよい。例えば、操作ボタン１１２を２度連続して押すことにより、表示部１１１の画面表示の向きが変更することとしてもよい。
【産業上の利用可能性】
【００５４】
本考案は、温度計に適用することにより、使用者が温度計の表示部を確認しやすくなり、有用である。
【符号の説明】
【００５５】
温度計  １
本体部  １００
前面  １１０
表示部  １１１
数字セグメント左  １１１ａ
数字セグメント中央  １１１ｂ
数字セグメント右  １１１ｃ
右側電池切れ注意表示セグメント  １１１ｄ
右側ＨＯＬＤ表示セグメント  １１１ｅ
右側温度単位表示セグメント  １１１ｆ
左側電池切れ注意表示セグメント  １１１ｇ
左側ＨＯＬＤ表示セグメント  １１１ｈ
左側温度単位表示セグメント  １１１ｉ
操作ボタン  １１２
電源ボタン  １１３
手前側側面  １２０
奥側側面  １３０
左側側面  １４０
キャップ係止部  １４１
突部  １４１ａ
右側側面  １５０
指掛け部  １５１
背面  １６０
電池蓋  １６１
電池蓋凹部  １６１ａ
検温部  ２００
大径部  ２１０
テーパー部  ２２０
小径部  ２３０
先細部  ２４０
平板部  ３００
平板前部  ３１０
平板背部  ３２０
フック孔  ３３０
キャップ  ４００
口部  ４１０
凹部  ４１１
円筒部  ４２０
支持孔  ４３０
先端部  ４４０
計測・制御系  ５００
制御部  ５１０
右手  ＲＨ
左手  ＬＨ
鍋  Ｐ
【図１】
0003227814.tif 000003
【図２】
0003227814.tif 000004
【図３】
0003227814.tif 000005
【図４】
0003227814.tif 000006
【図５】
0003227814.tif 000007
【図６】
0003227814.tif 000008
【図７】
0003227814.tif 000009
【図８】
0003227814.tif 000010
【図９】
0003227814.tif 000011
【図１０】
0003227814.tif 000012
【図１１】
0003227814.tif 000013
【図１２】
0003227814.tif 000014
【図１３】
0003227814.tif 000015
【図１４】
0003227814.tif 000016
【図１５】
0003227814.tif 000017
【図１６】
0003227814.tif 000018
【図１７】
0003227814.tif 000019
【手続補正書】
【提出日】令和2年6月18日(2020.6.18)
【手続補正１】
【補正対象書類名】実用新案登録請求の範囲
【補正対象項目名】請求項３
【補正方法】変更
【補正の内容】
【請求項３】
前記操作ボタンが単に押されて操作されると前記表示部の画面表示の向きが固定され、前記操作ボタンが長押しされて操作されると、前記表示部の画面表示の向きが変更されることを特徴とする請求項１記載の温度計。